(57)【特許請求の範囲】
【請求項１】
マルチトラックレコーダ装置であって、
入力端子から入力された複数の音声信号を記録媒体のそれぞれ異なるトラックに記録するマルチトラック録音手段と、
マルチトラック録音された音声信号のミックスダウンにおけるパラメータの調整が可能であり、マルチトラック録音された前記音声信号を予め設定されたパラメータでミックスダウンしてステレオ録音することを指示する操作手段と、
前記操作手段からの所定の操作信号に応じて前記操作手段で設定されているパラメータを記憶する記憶手段と、
前記操作手段からの所定の操作信号に応じて、ミックスダウンの自動実行を開始し、前記記録媒体にマルチトラック録音された前記音声信号を読み出し、前記記憶手段に記憶されたパラメータを用いてミックスダウンして２チャンネルのステレオ信号を生成し、音声信号としてリアルタイムで出力することなく記録手段に記録するミキサ手段と、
を備えることを特徴とするマルチトラックレコーダ装置。
【請求項２】
請求項１記載のマルチトラックレコーダ装置において、
前記パラメータは、少なくともバランス及び音の大きさを示すパラメータを含み、予め複数設定されており、
前記操作手段は、複数設定された前記パラメータを選択可能である
ことを特徴とするマルチトラックレコーダ装置。
【請求項３】
請求項１，２のいずれかに記載のマルチトラックレコーダ装置において、
前記ミキサ手段は、前記ミックスダウン中に、前記記録手段に記録されたステレオ信号を読み出して出力する
ことを特徴とするマルチトラックレコーダ装置。
【発明の詳細な説明】
【技術分野】
【０００１】
本発明はマルチトラックレコーダ装置に関し、特にマルチトラック録音された音声信号をミックスダウンしてステレオ信号を生成する技術に関する。
【背景技術】
【０００２】
従来から、複数の入力端子から入力される音声信号をそれぞれ異なるトラックに録音するマルチトラック録音や、録音したトラックを再生して２トラックにミックスダウンしてステレオ録音する技術が知られている。例えば、音楽制作現場において、楽曲を構成するドラムやベース、ギター等の各楽曲の音を、それぞれ異なるトラックに録音し、製作者（ミキシングエンジニア）が全体のバランスを考慮しながら各楽曲の音量バランスを調整し、最終的に２チャンネルステレオの楽曲を作成する場合である。
【０００３】
特許文献１には、少なくとも未録音の媒体又は消去後の媒体に最初に録音を行う作業と、録音済トラックを再生モニタしつつ別のトラックに新たな入力信号を録音する作業と、録音済トラックをそのまま、あるいは新たな入力信号とミキシングして別トラックに録音する作業と、録音済トラックをある区間だけ部分的に録音し直す作業と、録音済トラックに録音された信号をそのまま、あるいはミキシングして出力する作業とを含む各種作業形態に応じて、ミキサとレコーダの接続状態を自動設定する技術が開示されている。
【０００４】
特許文献２には、ピンポン録音のミックスダウン作業のやり直し時に、全ての音楽パートをモニタしながらミックスダウン作業を行えるようにする技術が開示されている。
【０００５】
特許文献３には、マルチトラック録音を行うと同時に、各音声信号をミックスダウンしてステレオ信号を生成して異なるトラックに記録するステレオ録音を実行する際に、マルチ録音ファイルとステレオ録音ファイルが別個に作成され、ステレオ録音のみが必要な場合にはステレオ録音ファイルのみを読み出して再生することが記載されている。
【先行技術文献】
【特許文献】
【０００６】
【特許文献１】特許第２５６０４９６号
【特許文献２】特許第４００３４１９号公報
【特許文献３】特開２０１１−６０３６６号公報
【発明の概要】
【発明が解決しようとする課題】
【０００７】
ところで、マルチトラック録音された各音声信号を再生して２トラックにミックスダウンしてステレオ録音する場合には、製作者がマルチトラック録音された各音声信号をその都度再生し、音声出力しながらバランスを調整して２チャンネルステレオの楽曲を作成するため、ある程度の時間を要する問題がある。一方、ミックスダウンとしてある楽曲を作成する際に、既に分かっている既存のバランス等でミックスダウンすればよいことが分かっている、あるいは最初の数区間においてバランスを調整した後にこのバランスをそのまま維持しつつミックスダウンすればよいことが分かっている場合もあり、このような場合においても従来においては同様にマルチトラック録音された各音声信号を再生出力しながら２チャンネルステレオの楽曲を作成せざるを得ず、無駄な時間を要する問題がある。
【０００８】
本発明の目的は、極めて効率的かつ短時間に、マルチトラック録音された音声信号を２トラックにミックスダウンしてステレオ録音することができる装置を提供することにある。
【課題を解決するための手段】
【０００９】
本発明は、マルチトラックレコーダ装置であって、入力端子から入力された複数の音声信号を記録媒体のそれぞれ異なるトラックに記録するマルチトラック録音手段と、マルチトラック録音された音声信号のミックスダウンにおけるパラメータの調整が可能であり、マルチトラック録音された前記音声信号を予め設定されたパラメータでミックスダウンしてステレオ録音することを指示する操作手段と、前記操作手段からの所定の操作信号に応じて前記操作手段で設定されているパラメータを記憶する記憶手段と、前記操作手段からの所定の操作信号に応じて、ミックスダウンの自動実行を開始し、前記記録媒体にマルチトラック録音された前記音声信号を読み出し、前記記憶手段に記憶されたパラメータを用いてミックスダウンして２チャンネルのステレオ信号を生成し、音声信号としてリアルタイムで出力することなく記録手段に記録するミキサ手段とを備えることを特徴とする。
【００１０】
本発明の１つの実施形態では、前記パラメータは、少なくともバランス及び音の大きさを示すパラメータを含み、予め複数設定されており、前記操作手段は、複数設定された前記パラメータを選択可能である。
【００１１】
また、本発明の他の実施形態では、前記ミキサ手段は、前記ミックスダウン中に、前記記録手段に記録されたステレオ信号を読み出して出力する。
【発明の効果】
【００１２】
本発明によれば、生成されたステレオ信号をリアルタイムで再生することなく予め設定されたパラメータで自動的にミックスダウン処理を実行するため、効率的かつ短時間に、マルチトラック録音された音声信号を２トラックにミックスダウンしてステレオ録音することができる。
【図面の簡単な説明】
【００１３】
【図１】実施形態の構成ブロック図である。
【図２】マルチトラック録音時の動作説明図である。
【図３】ミックスダウン時の動作説明図である。
【図４】ミックスダウン時の他の動作説明図である。
【発明を実施するための形態】
【００１４】
以下、図面に基づき本発明の実施形態について説明する。
【００１５】
図１に、本実施形態におけるマルチトラックレコーダ装置の構成ブロック図を示す。マルチトラックレコーダ装置は、入力端子１０と、Ａ／Ｄコンバータ１２と、ミキサ１４と、操作部１５と、ＳＤメモリ等の記録媒体２２と、Ｄ／Ａコンバータ２４と、スピーカ２６を含む。
【００１６】
入力端子は、複数の音声信号、例えば音楽信号を入力してＡ／Ｄコンバータ１２に出力する。
【００１７】
Ａ／Ｄコンバータ１２は、供給されたアナログ音声信号をデジタル音声信号に変換してミキサ１４に出力する。図では、複数のアナログ音声信号を順次デジタル音声信号に変換してＩＮＰＵＴ１、ＩＮＰＵＴ２、ＩＮＰＵＴ３、ＩＮＰＵＴ４として出力する場合を示す。もちろん、４つの音声信号は例示であり、これ以上あるいはこれ以下でもよい。但し、本実施形態では、最終的に２チャンネルのステレオ音声信号にミックスダウンすることを前提としているため、入力されるアナログ音声信号としては３つ以上であることが必要である。
【００１８】
ミキサ１４は、ＣＰＵ１６と、第１スイッチ１８と、第２スイッチ２０を備える。第１スイッチ１８は、接点Ａ、Ｂを有し、Ａ／Ｄコンバータ１２からのデジタル音声信号を記録媒体２２に供給するか、あるいは記録媒体２２から読み出されたデジタル音声信号をＣＰＵ１６に供給するかを切り替える。すなわち、第１スイッチ１８の接点が接点Ｂ側に切り替わると、Ａ／Ｄコンバータ１２からのデジタル音声信号は記録媒体２２に供給され、記録媒体２２のそれぞれ異なるトラックに記録される。また、第１スイッチ１８の接点が接点Ａ側に切り替わると、記録媒体２２に記録されたデジタル音声信号が読み出されてＣＰＵ１６に供給される。
【００１９】
操作部１５は、ユーザが操作可能なスイッチ、ボタンあるいはダイヤルであり、装置の電源オン／オフの他、マルチトラック録音機能、ミックスダウン処理機能、再生機能等のオン／オフを切り替える。操作部１５は、特に、ミックスダウン処理における各種パラメータを調整する機能の他、調整済のパラメータを記憶させる機能、記憶された調整済のパラメータが複数存在する場合にこれらを選択する機能、選択したパラメータで自動ミックスダウン処理を実行させる機能を有する。
【００２０】
ＣＰＵ１６は、ＲＡＭ等のメモリを備え、供給された複数のデジタル音声信号、図ではＴＲＡＣＫ１、ＴＲＡＣＫ２、ＴＲＡＣＫ３、ＴＲＡＣＫ４の４つのデジタル音声信号をミックスダウン処理してＬＲ２チャンネルのステレオ信号を生成する。ＣＰＵ１６は、ミックスダウン処理する際に、ＲＡＭ等のメモリに記憶されたミキサパラメータを参照して処理を行う。ミキサパラメータは、各トラックのデジタル音声信号毎に、Ｓｅｎｄ、Ｐａｎ、Ｌｅｖｅｌの値を設定するパラメータである。「Ｓｅｎｄ」は、外部エフェクタに出力してエフェクト処理するか否かを設定するパラメータ、「Ｐａｎ」はＬＲのバランスを調整するパラメータ、「Ｌｅｖｅｌ」はレベルを調整するパラメータである。図において、４トラックのそれぞれの音声信号毎に「Ｓｅｎｄ」、「Ｐａｎ」、「Ｌｅｖｅｌ」が調整されることを示す。ミキサパラメータは、ミキサパラメータ１、ミキサパラメータ２、ミキサパラメータ３、・・・等のように複数設定される。各ミキサパラメータは、上記のように各トラック毎の「Ｓｅｎｄ」、「Ｐａｎ」、「Ｌｅｖｅｌ」の３つのパラメータから構成される。ミキサパラメータを構成する各パラメータは、ユーザが操作部１５を操作することで任意に調整できる。例えば、「Ｐａｎ」を調整することでＴＲＡＣＫ１のデジタル音声信号のＬＲバランスを調整する、あるいは「Ｌｅｖｅｌ」を調整することでＴＲＡＣＫ２のデジタル音声信号のレベルを小さくまたは大きく調整する等である。ユーザは、ミックスダウン処理の実行中にこれらのパラメータを任意に調整し、所望の特性でミックスダウンを行うことができる。さらに、操作部１５からの操作信号に応じ、ＣＰＵ１６は、調整済のミキサパラメータをメモリに記録し、記録されたミキサパラメータを用いてミックスダウン処理を実行する。この際、ユーザは操作部１５を操作して各パラメータを調整する必要はない。ミックスダウン処理されて作成されたステレオ信号は、記録媒体２２に記録される。
【００２１】
第２スイッチ２０は、３つの接点ａ、ｂ、ｃを有するスイッチである。ミックスダウン処理中であってモニタ出力しない場合はａ接点に切り替わり、ミックスダウン処理中であってモニタ出力する場合はｂ接点に切り替わり、入力音声信号をマルチトラック録音する場合はｃ接点に切り替わる。
【００２２】
Ｄ／Ａコンバータ２４は、ミキサ１４から出力されたデジタル音声信号をアナログ音声信号に変換してスピーカ２６に出力する。
【００２３】
以下、マルチトラック録音処理、ミックスダウン処理（モニタ出力なし）、ミックスダウン処理（モニタ出力あり）の各処理について、順次説明する。
【００２４】
図２に、マルチトラック録音処理時の動作を示す。ユーザが操作部１５を操作してマルチトラック録音モードに設定すると、その操作信号がＣＰＵ１６に供給される。ＣＰＵ１６は、この操作信号に応じて第１スイッチ１８を接点Ｂ側に切り替える。これにより、入力端子１０から入力された音声信号は、Ａ／Ｄコンバータ１２でデジタル信号に変換され、入力チャンネルの設定（手動または自動）に応じてＩＮＰＵＴ１，ＩＮＰＵＴ２，ＩＮＰＵＴ３、ＩＮＰＵＴ４のいずれかの入力信号として記録媒体２２の各トラックに選択的に記録される。例えば、ドラム、ベース、ギター、キーボードの各奏者が録音する場合、まず楽曲のリズムを司るパートから録音を始め、次の演奏者は直前に録音された音を聞いてリズムを合わせながら所定の楽器を演奏し、それを録音する。すなわち、まずリズム楽曲であるドラムが演奏され、録音される。次に、録音されたドラムを再生しながら別のトラックにベースの音を録音する。次に、録音されたドラム及びベースを再生しながらさらに別のトラックにギターの音を録音する。最後に、録音されたドラム、ベース及びギターを再生しながら別のトラックにキーボードの音を録音する。以上のようにして、４つのトラックに別々の楽曲が録音される。録音した音を再生する際には、ＣＰＵ１６は、記録媒体２２から読み出して再生し、第２スイッチ２０を接点ｂ側に切り替えることでスピーカ２６から出力する。図では、第２スイッチ２０はＯＦＦとなっているが、これは最初のドラムを録音する場合を想定したものである。
【００２５】
以上のようにしてマルチトラック録音が完了すると、次に、ミックスダウン処理に移行する。
【００２６】
図３に、ミックスダウン処理時（モニタ出力なし）の動作を示す。ユーザが操作部１５を操作してミックスダウンモードに設定すると、その操作信号がＣＰＵ１６に供給される。ＣＰＵ１６は、記録媒体２２に記録された４トラックの音声信号を読み出し、Ｐａｎ及びＬｅｖｅｌで設定されるＬＲのバランス及び音の大きさでＬＲのステレオ信号を生成し、リアルタイムでステレオ信号を再生出力しつつ記録媒体２２に記録する。ユーザは、操作部１５のスイッチやボタンを操作してＰａｎ及びＬｅｖｅｌを任意に調整することができる。第２スイッチ２０は、接点ｂ側に切り替えられる。この段階の処理は、従来のミックスダウン処理と同様である。
【００２７】
一方、ユーザが現在の調整に満足し、この調整でミックスダウンを続行する場合、ユーザは操作部１５の「自動実行」ボタン等を操作する。自動実行ボタンの操作に応じて操作信号がＣＰＵ１６に供給され、ＣＰＵ１６は現在のミキサパラメータをメモリに記録し、このミキサパラメータを読み出して当該楽曲の最初からこのミキサパラメータを用いてミックスダウン処理を実行する。この際、第２スイッチ２０を接点ａ側に切替え、記録媒体２２に記録された音声信号を順次読み出してミックスダウン処理を行い、処理して作成されたＬＲステレオ信号を再び記録媒体２２に記録する。この自動的なミックスダウン処理では、ステレオ信号の再生処理は実行されず、音楽信号のミックスダウン処理のみが実行される。従って、ミックスダウン処理を高速（１倍速よりも速い速度）で行うことが可能となり、音楽信号を再生しながらパラメータを適宜調整してミックスダウン処理する場合に比べて処理時間が大幅に短縮される。
【００２８】
また、ユーザが過去のミキサパラメータを用いて自動実行する場合には、操作部１５を操作して複数のミキサパラメータ１，２，３，・・から所望のミキサパラメータを選択する。例えば、過去に実行したミックスダウン処理時に使用したパラメータを含むミキサパラメータをミキサパラメータ２として登録しておき、操作部１５を操作してミキサパラメータ２を選択する。ＣＰＵ１６は、操作部１５からの操作信号に応じてメモリからミキサパラメータ２を読み出し、このミキサパラメータで設定されたＳｅｎｄ、Ｐａｎ、Ｌｅｖｅｌの各パラメータに従ってミックスダウン処理を実行する。ミックスダウン処理の自動実行では、ユーザは最初に操作部１５から自動実行ボタンを操作する、あるいは、使用すべきミキサパラメータを選択するだけでよく、その後はミックスダウン処理が完了するまで操作部１５を操作する必要がない。
【００２９】
図４に、ミックスダウン処理時（モニタ出力あり）の動作を示す。上記の図３では、ミックスダウン処理は自動で実行され、ミックスダウン処理されて生成されたＬＲステレオ信号は再生されることなく記録媒体２２に記録されるが、ＣＰＵ１６の処理能力に余裕がある場合には、ミックスダウン処理を自動実行するとともに、適当なタイミングで記録媒体２２から処理済みのステレオ信号を読み出して再生し、スピーカ２６から出力することもできる。すなわち、ＣＰＵ１６は、ユーザにより選択されたミキサパラメータを用いてミックスダウン処理してステレオ信号を記録媒体２２に記録するとともに、記録媒体２２から処理済みのステレオ信号を読み出して再生し、第２スイッチ２０を接点ｃ側に切り替えてスピーカ２６から出力する。ユーザは、ミックスダウン処理されたステレオ信号をモニタすることができる。この場合、ＣＰＵ１６は、従来のようにミックスダウン処理されて生成されたステレオ信号をリアルタイムで再生しているのではなく、一旦記録媒体２２に記録されたステレオ信号を読み出して再生している点に留意されたい。仮に、ユーザがスピーカ２６から出力されたステレオ信号に満足できない場合、操作部１５を操作してミックスダウンの自動実行を中止し、メモリに記録されている別のミキサパラメータを改めて選択する。
【００３０】
以上のように、本実施形態のマルチトラックレコーダ装置は、予め設定されたミキサパラメータを用いて、マルチトラック録音された音声信号を読み出して自動的にミックスダウン処理し、リアルタイムで再生することなく生成されたステレオ信号を記録媒体２２に記録するので、従来のように音声信号をリアルタイムで再生しつつパラメータを調整する必要がないので、ミックスダウン処理を高速で実行することができる。本実施形態では、ミックスダウン処理して得られたステレオ信号を再生して出力する必要が無く、したがってその時間を考慮してミックスダウン処理の読み出し速度や記録媒体２２への書き込み速度を調整する必要がないので、ＣＰＵ１６の処理能力を十分に生かした最大の読み出し／書き込み速度でミックスダウン処理を実行できる。
【００３１】
本実施形態の処理手順をまとめると、以下の通りである。
（１）記録媒体２２の各トラックに音声信号（楽曲信号）を記録する。
（２）記録媒体２２の各トラックから音声信号を読み出し、Ｓｅｎｄ、Ｐａｎ、Ｌｅｖｅｌの各パラメータを調整しつつミックスダウンし、各パラメータを決定する。
（３）決定された各パラメータの組をミキサパラメータとしてメモリに記録する。ミキサパラメータは複数記録してもよい。
（４）メモリに記録されたミキサパラメータから所望のミキサパラメータを選択し、ミックスダウンを実行する
（５）ミックスダウン処理で生成されたステレオ信号は、再生されることなくそのままデータとして記録媒体２２に記録される。
【００３２】
従来においては、リアルタイムで再生しつつミックスダウン処理が行われているのに対し、本実施形態ではリアルタイムでの再生は行わず、デジタル音声信号のミックスダウン処理というデータ処理のみを専ら実行するため、ミックスダウン処理をオフラインで行うと云うこともできよう。
【００３３】
また、本実施形態では、ミックスダウン処理を自動で実行する際のミキサパラメータとして、複数のミキサパラメータをメモリに記録しておき、ユーザが適宜これら複数のミキサパラメータから選択してミックスダウン処理を実行できる構成であるため、ある楽曲に対して多様なミックスダウン処理を容易に実行できるとともに、複数の楽曲に対して同一のパラメータ設定で一様なミックスダウン処理を容易に実行できる。
【００３４】
また、本実施形態では、基本的にはステレオ音声信号をリアルタイムで再生しないので、その分の時間を高負荷なエフェクト処理に当てることができる。すなわち、リアルタイム処理では間に合わないような高負荷なエフェクト処理も実行することができ、効果的なミックスダウン処理が実現できる。
【００３５】
なお、従来においては、記録媒体２２からの読み出しに時間を要する場合、リアルタイム処理だとエラーとなってしまうところ、本実施形態ではリアルタイムの再生がないのでエラーを防ぐこともできる。
【００３６】
また、操作部１５のスイッチやボタン、画面形態は任意であるが、少なくとも、ＰａｎやＬｅｖｅｌの設定を登録（記録）する機能と、登録したＰａｎ及びＬｅｖｅｌでミックスダウン処理を自動実行するためのスイッチあるいはボタンを備えることが望ましい。もちろん、予め登録されたパラメータでミックスダウン処理を実行中である旨を液晶モニタ等に表示する機能を有していてもよい。自動実行するためのスイッチあるいはボタンは、同時にパラメータを登録するためのスイッチあるいはボタンを兼ねていてもよい。すなわち、ユーザが手動でＰａｎ及びＬｅｖｅｌを調整して自動実行スイッチを操作すると、その時点におけるＰａｎ及びＬｅｖｅｌの設定がミキサパラメータとしてメモリに登録され、その後、登録されたミキサパラメータで当該楽曲の音声信号を最初からミックスダウン処理して記録媒体２２に記録する。
【符号の説明】
【００３７】
１０  入力端子、１２  Ａ／Ｄコンバータ、１４  ミキサ、１６  ＣＰＵ、１８  第１スイッチ、２０  第２スイッチ、２２  記録媒体、２４  Ｄ／Ａコンバータ、２６  スピーカ。
【図１】
0005919683.tif 000002
【図２】
0005919683.tif 000003
【図３】
0005919683.tif 000004
【図４】
0005919683.tif 000005